(57)【特許請求の範囲】
【請求項１】
頭髪または毛髪を使用して、三つ編み又は四つ編み又は五つ編みの外側のどちらか一方の頭髪または毛髪の毛束を花びらのように平らに引き出した所を花びらとして、複数ある花びらの形ができたら花びらとならない方向に、全体を丸めて花びらの始まりの所に巻き収めて編込んで固定する事により複数ある花びらの花の形に形成した事を特徴とする頭髪または毛髪を使用した髪飾りの製造方法。
【請求項２】
前記毛束が複数あり、各毛束を請求項１の方法で花の形として、重ねていき、全体として八重の花のような形とする頭髪または、毛髪を使用した、髪飾りの製造方法。
【発明の詳細な説明】
【技術分野】
【０００１】本発明は、かつらや付け毛などに花の形を編込みお洒落を表現する髪飾りの製造方法。
【背景技術】
【０００２】今までに毛髪を使用しての編込みの髪飾りは、直線上と曲線上もしくはそれらを組み合わせた画一的な編込みであり、編込みを丸めて花の形に編込む方法は無かった。
【発明の開示】
【発明が解決しようとする課題】
【０００３】今までに毛髪を編込み花の形とする髪飾りは無かったので、その花の形の編込み技術を考え出した事により花の形の髪飾りを製造できるようにする。
【課題を解決するための手段】
【０００４】三つ編み（他に四つ編み、五つ編みも利用できる）の外側となるどちらか一方の毛束を花びらのように平らに引き出しながら、引き出されない側に徐々に丸めていきながら、花びらの形の編込みを進めていく事で、花びら４枚〜６枚が出来たら三つ編みの花びらの始まりの所に巻き収めて編込む事により花の形の髪飾りとする製造方法。
【発明の効果】
【０００５】約２ｃｍから約２０ｃｍ以上の大きさの花びらを形成できるので、カットスタイルやアップセットその他あらゆるヘアースタイルに大きさを変えて取り付ける事ができ、取り付ける位置も自由に選べて幅広い使用のお洒落が可能であり、また、頭髪と同色の花の形の髪飾りを取り付ければ自分の髪を編込んだかのように見せたりできますし、違う華やかな色の物ならお祝い事のヘアーに取り付けて今までには見たことも無いお洒落を楽しめる事になり、多種多様な装飾につながる髪飾りの効果が得られます。
【発明を実施するための最良の形態】
【０００６】図１の編込みは、符号Ｂの毛束を引き出さないで三つ編みをした状態を示す例題で、図２の符号Ａの毛束を符号Ｊのようにゴムひもで結んで三つ編みの外側の毛束を図２の符号Ｂのように外に平らに引き出しながら花びらの形となる毛束を作りながらその反対方向に少しづつ丸めながら花びらとなる編込みを作り進めていき、最後の花びらとなる符号Ｇの所を符号Ｆの花びらの始まりの所に符号ＣＤＥの毛束を巻き収め、編込む事で花の形としての原型ができ、図３の符号Ａの毛束の延長線が図３の符号Ｈの毛束の延長線に収まるように花の形の編込みを微調整しながら綺麗な花の形を形成しつつ、図２のＪの残りのゴムひもの先を図４の符号Ｈの根元側に交差し巻きつけるようにして符号Ｋのようにしっかりと縛り収める事で花の形の髪飾りの出来上りです。【０００７】図２では時計回りに花の形を編込んで仕上げていますが、逆の時計回りの方向へやり方を変えて編込む事もできます。【０００８】また、花の形の花びらは４枚〜６枚を基本にして作りますが、図１から図９は６枚の花びらの形の編込みに関しての説明です。【０００９】請求項２のようにするためには太めの毛束を作り、その太目の毛束を小分けしながら複数の花びらとなる毛束を作ります、まず一つ目の花の形は基の太い毛束中央に小さく作りそれ以後は徐々に大きく最初の花びらを中心に下側に重ねるように花びらとなる毛束を最初の花びらより大きく花びら分を出して見えるように、基の太い毛束を中心に時計回りと逆の時計回りを交互もしくは不規則に複数の花びら（例えば八重の花びら）に近づけるように配置し調整し毛先はピンで止めて綺麗な円の花びらに出来るように微調整を繰り返しながら最終的には複数の花びら（例えば八重の花）の形に仕上げていきます。【００１０】図５の花の形の髪飾りは図３の右側面から見た図で、実際に作った花の形に編込んだ物を見ながら書いた図で、Ａの毛束とＨの毛束と平行になるように平らに花の形を仕上げていきます。また、応用としては花びらに角度を付けて立体的に仕上げたりして違った花の形状の物も出来ます。【００１１】図９の使用状態を示す花の形の髪飾りですが、大きさと取り付ける位置に応じてゴムひもやクリップやボンドで取り付けますが、頭髪やかつらの場合はセットの時点で直接編込んでもいいし後から付けてもかまわない。【００１２】請求項２での複数ある花びら（例えば八重の花）の製造方法を解説すると、図１０から図１２に示す物は最初の小さな花の編込みを中心に、次の花びらの編込みを下へ下へと複数ある花びら（例えば八重の花）をイメージしながら花びらの大きさ分大きく配置し花びらが見えるようにして、ピンで止めバランスをとりながら下へ下へと重ねる事で複数ある花びら（例えば八重の花）の製造方法が説明できます。【００１３】図１３では複数ある花びら（例えば八重の花）の編込みを正面から見た所ですが、円を描くように花びらも揃うようにバランスよく作る事が大切です、更に側面から見た図１４も意識しながら作る事も綺麗に仕上げる事につながります。
【産業上の利用可能性】
【００１４】毛髪を使用して、髪飾りやかつらに今までに無かった花の形のデザインを施す事ができ、世界的にも類を見ない新たな装飾の世界を広げる事が出来る。
【図面の簡単な説明】
【００１５】
【図１】符号Ｂの花びらとなる毛束を説明するために引き出さないで三つ編みをした図
【図２】花の形の編込み技術を説明する製造方法の展開図
【図３】図２の展開図の花の形の編込み仕上り正面図
【図４】図３の背面図
【図５】図３の右側面図
【図６】図３の左側面図
【図７】図３の平面図
【図８】図３の底面図
【図９】図３の花の形の髪飾りの使用状態を示す参考図
【図１０】請求項２で示す複数の花びらの製造方法の２段目の花びらを示す正面図
【図１１】請求項２で示す複数の花びらの製造方法の３段目の花びらを示す正面図
【図１２】請求項２で示す複数の花びらの製造方法の４段目の花びらを示す正面図
【図１３】請求項２で示す複数の花びらの製造方法の仕上りを示す正面図
【図１４】請求項２で示す複数の花びらの製造方法の仕上りを示す側面図
【符号の説明】
【００１６】Ａ  花の形になる前の根元側の毛束
Ｂ  花びらに成る三つ編みの外側の毛束を引き出す方向
Ｃ  三つ編みの３本の内の１本
Ｄ  三つ編みの３本の内の１本
Ｅ  三つ編みの３本の内の１本
Ｆ  三つ編みの花びらの形が始まる所
Ｇ  三つ編みの花びらの形が終わる所
Ｈ  花の形の編込みが終わった後の毛先側の毛束
Ｉ  花びらに成らない方の内側の三つ編み部分
Ｊ  符号Ａの毛束をゴムひもで結んだ所
Ｋ  符号Ｊのゴムひもの残りの部分を符号Ｈの根元側に交差させ結んだ所
Ｌ  符号ＣＤＥの毛束が符号Ｆに巻き収まり編み終えてから符号Ｈの毛束となる方向
Ｍ  複数の花びら（例えば八重の花）の形となる一つ目の花の形の編込み
Ｎ  花の形となる花びらの毛束で最初の花の編込みの下に来る２段目の毛束
Ｏ  花の形となる花びらの毛束で２段目の花の編込みの下にくる３段目の毛束
Ｐ  花の形となる花びらの毛束で３段目の花の編込みの下にくる４段目の毛束
Ｑ  複数の花びら（例えば八重の花）の形の側面から見た毛束の根元
Ｒ  複数の花びら（例えば八重の花）の形の側面から見た毛束の根元を縛っているゴムひも
【要約】
【課題】今までに毛髪を編込み花の形とする髪飾りは無かったので、その花の形の編込み技術を考え出した事により花の形の髪飾りを製造できるようにする。
【解決手段】三つ編み（他に四つ編み、五つ編みも利用できる）の外側となるどちらか一方の毛束を花びらのように平らに引き出しながら、引き出されない側に徐々に丸めていきながら、花びらの形の編込みを進めていく事で、花びら４枚〜６枚が出来たら三つ編みの花びらの始まりの所に巻き収めて編込む事により花の形の髪飾りとする製造方法。
【選択図】図３【図１】
0004147542.tif 000002
【図２】
0004147542.tif 000003
【図３】
0004147542.tif 000004
【図４】
0004147542.tif 000005
【図５】
0004147542.tif 000006
【図６】
0004147542.tif 000007
【図７】
0004147542.tif 000008
【図８】
0004147542.tif 000009
【図９】
0004147542.tif 000010
【図１０】
0004147542.tif 000011
【図１１】
0004147542.tif 000012
【図１２】
0004147542.tif 000013
【図１３】
0004147542.tif 000014
【図１４】
0004147542.tif 000015